(57)【要約】      （修正有）【課題】各種作業にそれぞれ対応する専用ベルトを設け、このベルトを交換することにより、異なった作業ができるハンデイ型コンベーアー式万能回収機を提供する。【解決手段】ハンデイ型コンベーアー式万能回収機は、長尺な本体部１１０が、長尺な竿の役目をして、交換する専用ベルトを駆動回転出来るように構成する。専用ベルトを回転駆動させるモーター部１３１と、専用ベルト回転部をベルトで繋ぐ。電源部１２０の外側は回収機を手で持つ部分でもある。電源部と長尺な竿部は角度を変え固定できる。交換できる専用ベルトとして、遊戯用パチンコ玉を床面から回収するパチンコ玉回収ベルトと、遊戯用コインを床面から回収するコイン回収ベルトと、小型果実を収穫する収穫ベルトと、狭い場所をブラシで磨き清掃する清掃用ブラシベルトが可能である。【選択図】図１
0003163979.tif 000002
【実用新案登録請求の範囲】
【請求項１】
本考案のハンデイ型コンベーアー式万能回収機（１００）は、長尺な竿の役目をする本体部（１１０）を設けて、当該本体部（１１０）は、作業別にエンドレス加工を施した専用ベルトが設けられて、専用ベルトの交換は自在であり、交換装着できる専用ベルトは、遊戯用パチンコ玉を床面から回収するパチンコ玉回収ベルト（２００）と、遊戯用コインを床面から回収するコイン回収ベルト（３００）と、小型果実を収穫する小型果実収穫ベルト（４００）と、狭い場所をブラシで磨き清掃する清掃磨き用ブラシベルト（５００）であり、当該ハンデイ型コンベーアー式万能回収機（１００）の本体部（１１０）の先端に装着した専用ベルトがスムースに回転できる回転部（１１２）と、装着した専用ベルトを回転させる駆動部（１３０）を手元側に設けて、当該駆動部（１３０）は、モーター部（１３１）を設けて、モーター部（１３１）は設けた電源部（１２０）に制御されて、電源部（１２０）は、スイッチ（１２１）が設けられて、電源部（１２０）は駆動部（１３０）のモーターを回転させる複数電池をケースに保管して、複数電池を保管してあるケースは、ハンデイ型コンベーアー式万能回収機を片手で持つための重要なグリップ部（１５０）となるように設けて、もう一方の手でも補助出来るように握ることのできる補助グリップ部（１５１）を設けて、作業の姿勢に伴って本体部（１１０）と、グリップ部（１５０）は角度を変えることが出来て固定できて、本体部（１１０）に専用ベルトを装着して回転させたとき、本体部（１１０）の全体が共振しないように防振ゴム（１１３）を設けて、本体部（１１０）の先端を保護するため専用ベルトを挟むように保護して緩衝するＹ型（１６１）や、扇型（１６２）又は円形（１６３）の緩衝具（１６０）を装着できる緩衝具装着部（１１４）を設けた構成であることを特徴とするハンデイ型コンベーアー式万能回収機。
【請求項２】
上記記載のハンデイ型コンベーアー式万能回収機（１００）は、交換して装着した遊戯用パチンコ玉を床面から回収するパチンコ玉回収ベルトあって、当該パチンコ玉回収ベルト（２００）は、ハンデイ型コンベーアー式万能回収機の本体部（１１０）の全体をエンドレスに加工したパチンコ玉回収ベルト（２００）で囲んで装着して設けて、ハンデイ型コンベーアー式万能回収機の本体部（１１０）の先端に緩衝具（１６０）を緩衝具装着部（１１４）に装着して設けて、パチンコ玉回収ベルト（２００）の横幅と等しい正方形の磁石板（２０２）をパチンコ玉回収ベルト（２００）の全体を一定の間隔でベルトに整列させ固着して設けて、床に転がっているパチンコ玉（２０１）をハンデイ型コンベーアー式万能回収機の本体部（１１０）の先端に流れてきた磁力板（２０２）で吸着して搬送して手元に届けて、手元に届いたパチンコ玉（２０１）は、裏面に磁石板（２０２）が回転する箇所に設けた回収箱（２１０）でパチンコ玉を引っ掛けて回収して、砂鉄等金属片が混入しているのでブラシ（２１１）で磁力板（２０２）を磨くように設けてあるパチンコ玉回収ベルト（２００）を設けて交換して装着できる構成であることを特徴とする請求項１記載のハンデイ型コンベーアー式万能回収機。
【請求項３】
前記記載のハンデイ型コンベーアー式万能回収機（１００）は、交換して装着して遊戯用コインを床面から回収するコイン回収ベルトであって、当該コイン回収ベルト（３００）は、ハンデイ型コンベーアー式万能回収機の本体部（１１０）の全体をエンドレスに加工したコイン回収ベルト（３００）で囲んで装着して設けて、ハンデイ型コンベーアー式万能回収機の本体部（１１０）の先端にコイン止（３０５）を緩衝具１６０として緩衝具装着部（１１４）に装着して設けて、コインを回収するに適した台形をして、コインの厚みを考慮したコインバスケット（３０１）をプラスチックで成形加工して設けて、コインバスケット（３０１）はコイン回収ベルト（３００）の全体を一定の間隔でベルトに整列させ固着して設けて、床に転がっている遊戯用コインを回収するにハンデイ型コンベーアー式万能回収機の本体部（１１０）の先端に設けたコイン止（３０５）を、遊戯用コインが滑らないように周囲を包囲して止めて、止められている遊戯用コインは、流れてきたコインバスケット（３０１）で遊戯用コインは回収され搬送され手元に届けられて、手元に届いた遊戯用コインは、コインバスケット（３０１）が回転して裏面になると遊戯用コインが重力で落下するのを設けたコイン回収箱（３１０）で回収する遊戯用コイン玉回収ベルト（３００）を設けて交換して装着できる構成であることを特徴とする請求項１記載のハンデイ型コンベーアー式万能回収機。
【請求項４】
前記記載のハンデイ型コンベーアー式万能回収機は、交換して装着して高い木に実っている小型果実を収穫する小型果実収穫ベルトであって、当該小型果実収穫ベルト（４００）は、ハンデイ型コンベーアー式万能回収機の本体部（１１０）の全体をエンドレスに加工した小型果実収穫ベルト（４００）で囲んで装着して設けて、小型果実収穫ベルト（４００）の全体を小型果実容器（４０１）で一定の間隔でベルトに整列させ固着して設けて、小型果実収穫ベルト（４００）は、小型果実を収穫するに適したカッター（４０２）と小型果実を入れる容器を複合させて小型果実容器（４０１）を形成して、小型果実を収穫して搬送するとき目的地以外に落下しないように収穫口の方向を誤らないように固着して設けて、高い木から小型果実を収穫するときは、ハンデイ型コンベーアー式万能回収機の本体部（１１０）の先端で収穫するに、上方に向いて流れてきた小型果実容器（４０１）のカッター（４０２）を使用して枝から切り離し収穫して小型果実容器（４０１）に落ち込ませて搬送してハンデイ型コンベーアー式万能回収機の手元に届けて、手元に届いた小型果実は、裏面に小型果実容器（４０１）が回転する箇所に設けた小型果実回収箱（４１０）で小型果実が重力で落下するのを回収する小型果実収穫ベルト（４００）を設けて交換して装着できる構成であることを特徴とする請求項１記載のハンデイ型コンベーアー式万能回収機。
【請求項５】
前記記載のハンデイ型コンベーアー式万能回収機（１００）は、交換して装着した狭い場所をブラシで磨き清掃する清掃磨き用ブラシベルトであって、当該清掃磨き用ブラシベルト（５００）は、ハンデイ型コンベーアー式万能回収機の本体部（１１０）の全体をエンドレスに加工した清掃磨き用ブラシベルト（５００）で囲んで装着して設けて、ブラシの材質はバームあるいは、ポリプロピレン、針金等用途に応じて設けてあるので使用側がブラシの材質を選択されて、清掃磨き用ブラシベルト（５００）は、ブラシとなるバームあるいは、ポリプロピレン、針金等をベルト一面に固着して設けて、清掃磨き用ブラシベルト（５００）は、ベルト一面にブラシを固着して設けてあるので、狭い箇所からゴミを引っかき出すこと、磨くことが簡単にできる清掃磨き用ブラシベルト（５００）を設けて交換して装着できる構成であることを特徴とする請求項１記載のハンデイ型コンベーアー式万能回収機。
【考案の詳細な説明】
【技術分野】
【０００１】  本考案は、各種専用の仕事を効率的に行なえるハンデイ型コンベーアー式万能回収機であって、各種専用の仕事別専用ベルトを設けて、当該交換できる専用仕事別ベルトを装着することで専用の仕事を効率的行なうハンデイ型コンベーアー式万能回収機である。交換して装着できる各種専用の仕事別専用ベルトは、遊戯用パチンコ玉を床面から回収するパチンコ玉回収ベルトと、遊戯用コインを床面から回収するコイン回収ベルトと、小型果実を収穫する小型果実収穫ベルトと、狭い場所をブラシで磨き清掃する清掃用ブラシベルトである構成のハンデイ型コンベーアー式万能回収機に関する。
【背景技術】
【０００２】  装置として独立した遊戯用パチンコ玉を床面から回収するパチンコ玉回収装置と、遊戯用コインを床面から回収するコイン回収装置と、果実を収穫する果実収穫装置と、床面や階段の蹴上面等を磨く電動磨き掃除機等は存在している。また、床面を磨く電気掃除機もある。【０００３】  パチンコ店等にあっては、床の上にパチンコ球が多数落ちているため、前記手段によってはこれらを全て拾い集めるのが面倒であると共に、拾い集めるのに時間がかかる難点等があった。
車両９を有するケース１と、ケース１に内装するモーター１０と、モーター１０の回転する駆動ロール１２と、マグネットロール１３と、駆動リール１２とマグネットロール１３に巻掛ける球送ベルト１４と、ケース１に着脱自在に装着する球拾集箱２０とを備え、マグネットロール１３の磁力を利用してパチンコ球Ｂをマグネットロール１３部分に着磁せしめると共に、パチンコ球Ｂを、球送ベルト１４表面に適宜突設せしめた球送球突１５によってケース１内上方に搬送してから、球拾集箱２０内に収容できるよう構成する（例えば、特許文献１）。【０００４】  図４は、従来のパチンコ玉の収集装置の断面図を示した図である。
従来の拾集具１にあっては、収集できるパチンコ玉７の数が捕捉部２の床面に対する対向面積によって制限され、一回に収集できるパチンコ玉７の数に限りがあった。また、お客がパチンコ店内で収納ケースをひっくり返し、パチンコ玉７を床面に散乱させた場合等においては、この種の拾集具１で短時間の間にパチンコ玉７を収集するには限度があった。
パチンコ玉の収集装置に係わり、例えばパチンコ店の床面上に放置されるパチンコ玉７を安全かつ確実に回収する装置に係わる。パチンコ玉の収集装置１０は、長尺の基体１１を備え、該基体１１の基端部側にはパチンコ玉７の収納部１６が配置され、該捕足部１３と収納部１６との間には矢印Ｈ方向に周回駆動される搬送ベルト３０が配置される。ベルト３０は、駆動プーリ２８と従動プーリ２９二連動するマグネットローラ３３は床面上のパチンコ玉７を吸着した状態で矢印１方向に回動される。マグネットローラ３３にて補足されたパチンコ玉７は周回駆動されるベルト３０の各爪体３６により保持される。この結果、連続的に多くのパチンコ玉を効果的に回収することが可能となる（例えば、特許文献２）。【０００５】  従来のコイン回収機とは異なる新たな方式により、床面に散乱しているコインを簡単かつ能率よく短時間で回収することが可能なコイン回収機を提供することを目的としている。
ハウジング４内に回転へら８，９が収納されており、回転へら８，９は駆動部２によって回転可能とされている。回転へら８，９の回転方向の上流側には、一端を床面と接するリードエッジ８ａ、９ａが設けられており、下流面は水平面８ｂ、９ｂを経由してコイン止め８ｃ、９ｃが立設されている。ハウジング４の周面４ａの上部には、開口１０が設けられており、開口１０から径外方向に突出して回収トレイ１１が固定されている。駆動部２の上端中央には金属製の柄３が垂設されており。柄３の上端には握り部３ａが設けられている（例えば、特許文献３）。【０００６】  図８は、従来のパチンコ玉やコインの回収器具の斜視図を示した図である。
吸引掃除機にあっては、単に吸引掃除機の集塵フイルターの手前側に目の粗い一次フイルターを取り付けただけの構成であったため、これをそのままパチンコ玉やコインを回収するための道具と使用しても、効率的な回収が困難であるばかりか、金属製で相当重量のあるパチンコ玉やコインを吸引掃除機内に急速度で吸引させると、吸引回収時に大きな衝撃力が発生して。吸引掃除機内の一次フイルターなどを短時間で破壊してしまうという問題があった。
吸引掃除機の吸引先端と吸引掃除機本体間に設置されるパチンコ玉やコインの回収器具１であって、ケース本体４と、このケース本体内に取り外し自在にセットされる網ケース５と、ケース蓋体６との組み合わせで回収器具を構成し、この回収器具の上部に導入パイプ７を取り付けると共に回収器具の下部には排出パイプ８を取り付け、少なくともケース本体を透明又は半透明体で形成し、前記網ケースの網目をパチンコ玉やコインが通過できない程度の大きさに形成し、パチンコ玉やコインが導入パイプから直接激突する網ケースの対応箇所にはマット９を取り付けたことを特徴とするパチンコ玉やコインの回収器具である（例えば、特許文献４）。【０００７】  図１１は、従来の果実採取器の斜視図を示した図である。
果実に傷をつけず、果柄が確実に果樹から外せるものであって、しかも構造も簡単で取り扱いが容易な果実採取器を提供する。
柄１１と、柄１１の先端１１ａに設けられ、果実２１を収納する収納空間１３が形成された採取部１２とを具備する果実採取器１０において、採取部１２は、線条部材１５が、両端１５ａが接近するようにして細長の輪状に曲折され、且つ輪状面が湾曲するように曲折された複数の保持部１４を有し、複数の保持部１４が、両端１５ａにおいて柄１１の先端部１１ａに先端部１１ａを囲むようにして固定されることで、柄１１の先端１１ａの先方空間を囲むようにして、先端側がすぼまった収納空間１３が形成され、隣接する保持部１４同士が中途部で接触することにより、先端側に開放され、且つ接触部１７に向けて徐々に間隔が狭くなる果柄挟み込み部１６が形成されている。（例えば、特許文献５）。【０００８】  図１２は、従来の果実採取装置の斜視図を示した図である。
不意に果実が落下するのを防ぎながらその採取を容易に行なえるようにする。
果実採取アタッチメント４０を作業機械に取り付けて使用する。アタッチメント４０は、果実を把持するためのグリップ４６と、開閉式の鋏４８とを備え、グリップ４６により果実を把持した状態で、当該果実と果樹との境界またはその近傍部分を前記鋏４８で切断できるように、これらグリップ４６及び鋏４８を支持部材４２〜４４に支持する（例えば、特許文献６）。【０００９】  床面吸引具の回転ブラシにシートを装着して床磨き可能とした電気掃除機を提供する。
回転ブラシは、ブラシ本体またはブレード体によって床面の塵埃を掻き取る共に、前記回転ブラシの回転に伴ってシートを前記回転ブラシの外周に巻き付かせて拭き掃除を行なう。この構成によれば、ブラシ体またはブレード体によって床面の塵埃を掻き取る回転ブラシ外周に、回転ブラシの回転に伴ってシートを巻き付かせて拭き掃除を行なうことができ。掃除作業を向上させることができる（例えば、特許文献７）。【００１０】  図１４は、従来の電動磨き掃除機の側面図を示した図である。
掃除機外殻体の前方側面に磨き掃除具を取り付けることにより階段の蹴上面を磨くことができる電動磨き掃除機を提供する。
内蔵するブラシ駆動装置４により水平方向に回転駆動される回転ブラシ６を下部に有する掃除機外郭体１の前方側面に前記回転ブラシ６の回転面に略直交する方向に向く面を有する磨き掃除具１１を設けた構成とし、電動磨き掃除機の回転ブラシ６を作動し、適宜移動して階段の踏み面１２を磨くときに掃除機外郭体１の前方側面に設けた磨き掃除具１１を階段の蹴上面１３に押しつけるようにすれば、該磨き掃除具１１が蹴上面１３を磨きあげる（例えば、特許文献８）。
【先行技術文献】
【特許文献】
【００１１】
【特許文献１】  実登第３００１８９４号  公報
【特許文献２】  実開平６−３４６８４号  公報
【特許文献３】  特開２００６−３４６０６号  公報
【特許文献４】  実登第３１２２３７８号  公報
【特許文献５】  特開２００６−１２１９５５号  公報
【特許文献６】  特開２００２−２３３２２９号  公報
【特許文献７】  特開２００７−１４４２０３号  公報
【特許文献８】  実開平６−２１５６４号  公報
【考案の概要】
【考案が解決しようとする課題】
【００１２】  各仕事を効率的に行なうためにハンデイ型コンベーアー式回収機を研究開発している中で、上記記載の各仕事専用ベルトを設けて、交換して装着することで、個別に装置を設けなくても安価で品質がよく、各仕事の効率化と、省力化に最適であることが判明した。【００１３】  前記記載のように専用作業の目的別に各装置は提供されている。ハンデイ型コンベーアー式万能回収機を設けて、各仕事別に専用ベルトを設けて交換装着することで、個別に装置を設けなくても各仕事を効率的に行なえる。各仕事を省力化すると共に、安価で品質の高い軽くて作業のやりやすいハンデイ型コンベーアー式万能回収機を提供する。
【課題を解決するための手段】
【００１４】  本考案のハンデイ型コンベーアー式万能回収機１００は、長尺な竿の役目をする本体部１１０を設けてある。当該本体部１１０は、作業別にエンドレス加工を施した専用ベルトが設けられている。専用ベルトの交換は自在であり、交換装着できる専用ベルトは、遊戯用パチンコ玉を床面から回収するパチンコ玉回収ベルト２００と、遊戯用コインを床面から回収するコイン回収ベルト３００と、小型果実を収穫する小型果実収穫ベルト４００と、狭い場所をブラシで磨き清掃する清掃磨き用ブラシベルト５００である。当該ハンデイ型コンベーアー式万能回収機１００の本体部１１０の先端に装着した専用ベルトがスムースに回転できる回転部１１２と、装着した専用ベルトを回転させる駆動部１３０を手元側に設けてある。
当該駆動部１３０は、モーター部１３１を設けて、モーター部１３１は設けた電源部１２０に制御される。電源部１２０は、スイッチ１２１が設けられている。電源部１２０は駆動部１３０のモーターを回転させる複数電池をケースに保管してある。
複数電池を保管してあるケースは、ハンデイ型コンベーアー式万能回収機を片手で持つための重要なグリップ部１５０となるように設けてある。
もう一方の手でも補助出来るように握ることのできる補助グリップ部１５１を設けてある。
作業の姿勢に伴って本体部１１０と、グリップ部１５０は角度を変えることが出来て固定できる。
本体部１１０に専用ベルトを装着して回転させたとき、本体部１１０の全体が共振しないように防振ゴム１１３を設けてある。
本体部１１０の先端を保護するため専用ベルトを挟むように保護して緩衝するＹ型１６１や扇型１６２又は円形１６３の緩衝具１６０を装着できる緩衝具装着部１１４を設けている構成のハンデイ型コンベーアー式万能回収機である。【００１５】  また、第２の解決手段は、請求項１記載のハンデイ型コンベーアー式万能回収機は、交換して装着した遊戯用パチンコ玉を床面から回収するパチンコ玉回収ベルトあって、当該パチンコ玉回収ベルト２００は、ハンデイ型コンベーアー式万能回収機の本体部１１０の全体をエンドレスに加工したパチンコ玉回収ベルト２００で囲んで装着して設けてある。
ハンデイ型コンベーアー式万能回収機の本体部１１０の先端に緩衝具１６０を緩衝具装着部１１４に装着して設けてある。パチンコ玉回収ベルト２００の横幅と等しい正方形の磁石板２０２をパチンコ玉回収ベルト２００の全体を一定の間隔でベルトに整列させ固着して設けてある。床に転がっているパチンコ玉をハンデイ型コンベーアー式万能回収機の本体部１１０の先端に流れてきた磁力板２０２で吸着して搬送して手元に届ける。手元に届いたパチンコ玉は、裏面に磁石板２０２が回転する箇所に設けた回収箱２１０でパチンコ玉を引っ掛けて回収する。砂鉄等金属片が混入しているのでブラシ２１１で磁力板２０２を磨くように設けてある。遊戯用パチンコ玉を床面から回収するパチンコ玉回収ベルト２００を設けて交換して装着できる構成のハンデイ型コンベーアー式万能回収機である。【００１６】  また、第３の解決手段は、請求項１記載のハンデイ型コンベーアー式万能回収機は、交換して装着して遊戯用コインを床面から回収するコイン回収ベルトであって、当該コイン回収ベルト３００は、ハンデイ型コンベーアー式万能回収機の本体部１１０の全体をエンドレスに加工したコイン回収ベルト３００で囲んで装着して設けてある。ハンデイ型コンベーアー式万能回収機の本体部１１０の先端にコイン止３０５を緩衝具１６０として緩衝具装着部１１４に装着して設けてある。
コインを回収するに適した台形をして、コインの厚みを考慮したコインバスケット３０１をプラスチックで成形加工して設けてある。コインバスケット３０１はコイン回収ベルト３００の全体を一定の間隔でベルトに整列させ固着して設けてある。コインを回収して搬送するとき目的地以外に落下しないように回収口の方向を誤らないように固着して設けてある。床に転がっている遊戯用コインを回収するにハンデイ型コンベーアー式万能回収機の本体部１１０の先端に設けたコイン止３０５を、遊戯用コインが滑らないように周囲を包囲して止める。回収しようとする遊戯用コインはコイン止３０５で止められている。
止められている遊戯用コインは、流れてきたコインバスケット３０１で遊戯用コインは回収され搬送され手元に届けられる。手元に届いた遊戯用コインは、コインバスケット３０１が回転して裏面になると遊戯用コインが重力で落下するのを設けたコイン回収箱３１０で回収する。遊戯用コインを床面から回収するコイン玉回収ベルト３００を設けて交換して装着できる構成のハンデイ型コンベーアー式万能回収機である。【００１７】  また、第４の解決手段は、請求項１記載のハンデイ型コンベーアー式万能回収機は、交換して装着して高い木に実っている小型果実を収穫する小型果実収穫ベルトであって、当該小型果実収穫ベルト４００は、ハンデイ型コンベーアー式万能回収機の本体部１１０の全体をエンドレスに加工した小型果実収穫ベルト４００で囲んで装着して設けてある。
小型果実収穫ベルト４００の全体を小型果実容器４０１で一定の間隔でベルトに整列させ固着して設けてある。
小型果実収穫ベルト４００は、小型果実を収穫するに適したカッター４０２と小型果実を入れる容器とを複合させて小型果実容器４０１を形成してある。
小型果実を収穫して搬送するとき目的地以外に落下しないように収穫口の方向を誤らないように固着して設けてある。
高い木から小型果実を収穫するときは、ハンデイ型コンベーアー式万能回収機の本体部１１０の先端で収穫するに上方に向いて流れてきた小型果実容器４０１のカッター４０２を使用して枝から切り離し収穫して小型果実容器４０１に落ち込ませて搬送してハンデイ型コンベーアー式万能回収機の手元に届ける。手元に届いた小型果実は、裏面に小型果実容器４０１が回転する箇所に設けた小型果実回収箱４１０で小型果実が重力で落下するのを回収する。高い木から小型果実を収穫する小型果実収穫ベルト４００を設けて交換して装着できる構成のハンデイ型コンベーアー式万能回収機である。【００１８】  また、第５の解決手段は、請求項１記載のハンデイ型コンベーアー式万能回収機は、交換して装着した狭い場所をブラシで磨き清掃する清掃磨き用ブラシベルトであって、当該清掃磨き用ブラシベルト５００は、ハンデイ型コンベーアー式万能回収機の本体部１１０の全体をエンドレスに加工した清掃磨き用ブラシベルト５００で囲んで装着して設けてある。ブラシの材質はバームあるいは、ポリプロピレン、針金等用途に応じて設けてあるので使用側がブラシの材質を選択する。
清掃磨き用ブラシベルト５００は、ブラシとなるバームあるいは、ポリプロピレン、針金等をベルト一面に固着して設ける。清掃磨き用ブラシベルト５００は、ベルト一面にブラシを固着して設けてあるので、狭い箇所からゴミを引っかき出すこと、磨くことが簡単にできる清掃磨き用ブラシベルト５００を設けて交換して装着できる構成のハンデイ型コンベーアー式万能回収機である。
【考案の効果】
【００１９】  本考案のハンデイ型コンベーアー式万能回収機１００は、長尺な竿の役目をする本体部１１０を設けてある。当該本体部１１０は、作業別にエンドレス加工を施した専用ベルトが設けられている。専用ベルトの交換は自在であり、交換装着できる専用ベルトは、遊戯用パチンコ玉を床面から回収するパチンコ玉回収ベルト２００と、遊戯用コインを床面から回収するコイン回収ベルト３００と、小型果実を収穫する小型果実収穫ベルト４００と、狭い場所をブラシで磨き清掃する清掃磨き用ブラシベルト５００である。当該ハンデイ型コンベーアー式万能回収機１００の本体部１１０の先端に装着した専用ベルトがスムースに回転できる回転部１１２と、装着した専用ベルトを回転させる駆動部１３０を手元側に設けてある。当該駆動部１３０は、モーター部１３１を設けて、モーター部１３１は設けた電源部１２０に制御される。電源部１２０は、スイッチ１２１が設けられている。電源部１２０は駆動部１３０のモーターを回転させる複数電池をケースに保管してある。
複数電池を保管してあるケースは、ハンデイ型コンベーアー式万能回収機を片手で持つための重要なグリップ部１５０となるように設けてある。もう一方の手でも補助出来るように握ることのできる補助グリップ部１５１を設けてある。作業の姿勢に伴って本体部１１０と、グリップ部１５０は角度を変えることが出来て固定できる。本体部１１０に専用ベルトを装着して回転させたとき、本体部１１０の全体が共振しないように防振ゴム１１３を設けてある。本体部１１０の先端を保護するため専用ベルトを挟むように保護して緩衝するＹ型１６１や扇型１６２又は円形１６３の緩衝具１６０を装着できる緩衝具装着部１１４を設けている構成のハンデイ型コンベーアー式万能回収機であるので、前記記載のように専用作業の目的別に各装置は提供されている。個別に高価な装置を設けなくても各仕事別の専用ベルトを設ければ安価で品質が高く、効率的に作業が行なえる優れたハンデイ型コンベーアー式万能回収機である。【００２０】  また、第２の解決手段は、請求項１記載のハンデイ型コンベーアー式万能回収機は、交換して装着した遊戯用パチンコ玉を床面から回収するパチンコ玉回収ベルトあって、当該パチンコ玉回収ベルト２００は、ハンデイ型コンベーアー式万能回収機の本体部１１０の全体をエンドレスに加工したパチンコ玉回収ベルト２００で囲んで装着して設けてある。
ハンデイ型コンベーアー式万能回収機の本体部１１０の先端に緩衝具１６０を緩衝具装着部１１４に装着して設けてある。
パチンコ玉回収ベルト２００の横幅と等しい正方形の磁石板２０２をパチンコ玉回収ベルト２００の全体を一定の間隔でベルトに整列させ固着して設けてある。床に転がっているパチンコ玉をハンデイ型コンベーアー式万能回収機の本体部１１０の先端に流れてきた磁力板２０２で吸着して搬送して手元に届ける。手元に届いたパチンコ玉は、裏面に磁石板２０２が回転する箇所に設けた回収箱２１０でパチンコ玉を引っ掛けて回収する。砂鉄等金属片が混入しているのでブラシ２１１で磁力板２０２を磨くように設けてある。遊戯用パチンコ玉を床面から回収するパチンコ玉回収ベルト２００を設けて交換して装着できる構成のハンデイ型コンベーアー式万能回収機であるので、店内床にこぼれているパチンコ玉を簡単に回収できる。
従来品１０は大量に回収できる装置もあるが回収したパチンコ玉の重量と、装置の大きさと重量で持ち運びは大変で狭い箇所での作業が困難である。
考案の回収機は、店内床にパチンコ玉が転がっていると客は転倒する恐れがある。美観も損ねる。こぼれ玉は客の財産であるので勝手に処理できない。パチンコ玉が落ちている客に返す。持ち主不明なパチンコ玉は集めて寄付をする。パチンコ玉が落ちていると客同士が投げあいを行い喧嘩となる。店内床にパチンコ玉が転がっているような店は繁盛しない。一度に箱をひっくり返した場合は不適である。ハンデイ型コンベーアー式万能回収機は小型で軽くて、狭いところの回収ができる。電源はコードレスである。回収するときの作業姿勢が楽である。パチンコ玉を連続して回収できる。カウンターを取り付けると回収玉の計数ができる等優れものである。【００２１】  また、第３の解決手段は、請求項１記載のハンデイ型コンベーアー式万能回収機は、交換して装着して遊戯用コインを床面から回収するコイン回収ベルトであって、当該コイン回収ベルト３００は、ハンデイ型コンベーアー式万能回収機の本体部１１０の全体をエンドレスに加工したコイン回収ベルト３００で囲んで装着して設けてある。ハンデイ型コンベーアー式万能回収機の本体部１１０の先端にコイン止３０５を緩衝具１６０として緩衝具装着部１１４に装着して設けてある。
コインを回収するに適した台形をして、コインの厚みを考慮したコインバスケット３０１をプラスチックで成形加工して設けてある。コインバスケット３０１はコイン回収ベルト３００の全体を一定の間隔でベルトに整列させ固着して設けてある。コインを回収して搬送するとき目的地以外に落下しないように回収口の方向を誤らないように固着して設けてある。床に転がっている遊戯用コインを回収するにハンデイ型コンベーアー式万能回収機の本体部１１０の先端に設けたコイン止３０５を、遊戯用コインが滑らないように周囲を包囲して止める。回収しようとする遊戯用コインはコイン止３０５で止められている。
止められている遊戯用コインは、流れてきたコインバスケット３０１で遊戯用コインは回収され搬送され手元に届けられる。手元に届いた遊戯用コインは、コインバスケット３０１が回転して裏面になると遊戯用コインが重力で落下するのを設けたコイン回収箱３１０で回収する。遊戯用コインを床面から回収するコイン玉回収ベルト３００を設けて交換して装着できる構成のハンデイ型コンベーアー式万能回収機であるので、ハンデイ型コンベーアー式万能回収機の本体部１１０の先端にコイン止３０５を緩衝具１６０として緩衝具装着部１１４に装着して設けてあることが考案の目玉となる。回収機を小型にすることができた。店内床にこぼれている遊戯用コインを簡単に回収できる。
従来品１は大量に回収できる掃除機を利用した装置もあるが回収した遊戯用コインの重量と、装置の大きさと重量で持ち運びは大変で狭い箇所での作業が困難である。
考案の回収機は、店内床に遊戯用コインが散らばると客は滑って転倒する恐れがある。美観も損ねる。こぼれ遊戯用コインは客の財産であるので勝手に処理できない。遊戯用コインが落ちている客に返す。持ち主不明な遊戯用コインは集めて寄付をする。遊戯用コイン落ちていると客同士が投げあいを行い喧嘩となる。店内床に遊戯用コインが散らばって転がっているような店は繁盛しない。ハンデイ型コンベーアー式万能回収機は小型で軽くて、狭いところの回収ができる。電源はコードレスである。回収するときの作業姿勢が楽である。遊戯用コインを連続して回収できる等優れものである。【００２２】  また、第４の解決手段は、請求項１記載のハンデイ型コンベーアー式万能回収機は、交換して装着して高い木に実っている小型果実を収穫する小型果実収穫ベルトであって、当該小型果実収穫ベルト４００は、ハンデイ型コンベーアー式万能回収機の本体部１１０の全体をエンドレスに加工した小型果実収穫ベルト４００で囲んで装着して設けてある。小型果実収穫ベルト４００の全体を小型果実容器４０１で一定の間隔でベルトに整列させ固着して設けてある。小型果実収穫ベルト４００は、小型果実を収穫するに適したカッター４０２と小型果実を入れる容器とを複合させて小型果実容器４０１を形成してある。小型果実を収穫して搬送するとき目的地以外に落下しないように収穫口の方向を誤らないように固着して設けてある。高い木から小型果実を収穫するときは、ハンデイ型コンベーアー式万能回収機の本体部１１０の先端で収穫するに上方に向いて流れてきた小型果実容器４０１のカッター４０２を使用して枝から切り離し収穫して小型果実容器４０１に落ち込ませて搬送してハンデイ型コンベーアー式万能回収機の手元に届ける。手元に届いた小型果実は、裏面に小型果実容器４０１が回転する箇所に設けた小型果実回収箱４１０で小型果実が重力で落下するのを回収する。高い木から小型果実を収穫する小型果実収穫ベルト４００を設けて交換して装着できる構成のハンデイ型コンベーアー式万能回収機であるので、補助グリップ部１５１を用いてハンデイ型コンベーアー式万能回収機の移動と、収穫しようとする小型果実の狙いは楽にできる。ハンデイ型コンベーアー式万能回収機は小型で軽量であるので移動は簡単にできる。本体部１１０が長尺であるので高い木で使用できる。
高い木に実っている小型果実を収穫するに適したカッター４０２と小型果実を入れる容器とを複合させた小型果実容器４０１を形成してあることで小型果実をキズ付けることなく簡単に収穫することができる優れものである。【００２３】  また、第５の解決手段は、請求項１記載のハンデイ型コンベーアー式万能回収機は、交換して装着した狭い場所をブラシで磨き清掃する清掃磨き用ブラシベルトであって、当該清掃磨き用ブラシベルト５００は、ハンデイ型コンベーアー式万能回収機の本体部１１０の全体をエンドレスに加工した清掃磨き用ブラシベルト５００で囲んで装着して設けてある。ブラシの材質はバームあるいは、ポリプロピレン、針金等用途に応じて設けてあるので使用側がブラシの材質を選択する。
清掃磨き用ブラシベルト５００は、ブラシとなるバームあるいは、ポリプロピレン、針金等をベルト一面に固着して設ける。清掃磨き用ブラシベルト５００は、ベルト一面にブラシを固着して設けてあるので、狭い箇所からゴミを引っかき出すこと、磨くことが簡単にできる清掃磨き用ブラシベルト５００を設けて交換して装着できる構成のハンデイ型コンベーアー式万能回収機であるので、従来製品でできない狭い箇所からゴミを引っかき出すこと、磨くことが簡単にできる優れものである。ブラシの材質を変えることで磨く箇所は拡大して、製造工具としても使用することができる。
【図面の簡単な説明】
【００２４】
【図１】本考案のハンデイ型コンベーアー式万能回収機に専用ベルトであるパチンコ玉回収ベルトを装着して作動している側面図を示した図である。
【図２】図１の先端部の側面図を示した図である。
【図３】図１の使用状況の側面図を示した図である。
【図４】従来のパチンコ玉の収集装置の断面図を示した図である。
【図５】本考案のハンデイ型コンベーアー式万能回収機に専用ベルトであるコイン回収ベルトを装着して作動している側面図を示した図である。
【図６】図５の先端部の側面図を示した図である。
【図７】（Ａ）は、図５のバスケットの斜視図を示した図である。（Ｂ）は、図５のバスケットの平面図を示した図である。（Ｃ）は、図５のバスケットの作動する仕掛けを底面図で示した図である。
【図８】従来のパチンコ玉やコインの回収器具の斜視図を示した図である。
【図９】本考案のハンデイ型コンベーアー式万能回収機に専用ベルトである小型果実収穫ベルトを装着して作動している側面図を示した図である。
【図１０】（Ａ）は、図９のカゴのカッターの平面図を示した図である。（Ｂ）は、図９のカゴの側面図を示した図である。
【図１１】従来の果実採取器の斜視図を示した図である。
【図１２】従来の果実採取装置の斜視図を示した図である。
【図１３】本考案のハンデイ型コンベーアー式万能回収機に専用ベルトである清掃磨き用ブラシベルトを装着して作動している側面図を示した図である。
【図１４】従来の電動磨き掃除機の側面図を示した図である。
【考案を実施するための形態】
【００２５】    以下  本考案の実施の形態を図１〜図４、図６〜図７、図９〜図１０、図１３に基づいて説明する。
【実施例】
【００２６】  図１は、本考案のハンデイ型コンベーアー式万能回収機に専用ベルトであるパチンコ玉回収ベルトを装着して作動している側面図を示した図である。
先に本考案のハンデイ型コンベーアー式万能回収機を説明する。次に、交換して装着するパチンコ玉回収ベルトの説明を行なう。
本考案のハンデイ型コンベーアー式万能回収機１００は、長尺な竿の役目をする本体部１１０を設けてある。当該本体部１１０は、作業別にエンドレス加工を施した専用ベルトが設けられ作業の目的に応じて専用ベルトが交換され装着されている。
専用ベルトの交換は自在であり、交換装着できる専用ベルトは、遊戯用パチンコ玉２０１を床面から回収するパチンコ玉回収ベルト２００と、遊戯用コインを床面から回収するコイン回収ベルト３００と、小型果実を収穫する小型果実収穫ベルト４００と、狭い場所をブラシで磨き清掃する清掃磨き用ブラシベルト５００である。
当該ハンデイ型コンベーアー式万能回収機１００の本体部１１０の先端に装着した専用ベルトがスムースに回転できる回転部１１２と、装着した専用ベルトを回転させる駆動部１３０を手元側に設けてある。
当該駆動部１３０は、モーター部１３１を設けて、モーター部１３１は設けた電源部１２０に制御される。電源部１２０は、スイッチ１２１が設けられている。電源部１２０は駆動部１３０のモーターを回転させる複数電池をケースに保管してある。
複数電池を保管してあるケースは、ハンデイ型コンベーアー式万能回収機を片手で持つための重要なグリップ部１５０となるように設けてある。
もう一方の手でも補助出来るように握ることのできる補助グリップ部１５１を設けてある。
作業の姿勢に伴って本体部１１０と、グリップ部１５０は角度を変えることが出来て固定できる。
本体部１１０に専用ベルトを装着して回転させたとき、本体部１１０の全体が共振しないように防振ゴム１１３を設けてある。
本体部１１０の先端を保護するため専用ベルトを挟むように保護して緩衝するＹ型１６１や扇型１６２又は円形１６３の緩衝具１６０を装着できる緩衝具装着部１１４を設けている構成のハンデイ型コンベーアー式万能回収機である。【００２７】  図１は、パチンコ玉回収ベルト２００を装着して、ハンデイ型コンベーアー式万能回収機１００を作動している側面図である。
本考案のハンデイ型コンベーアー式万能回収機１００に交換装着したパチンコ玉回収ベルト２００の説明を行なう。
ハンデイ型コンベーアー式万能回収機の本体部１１０にエンドレス加工を施したパチンコ玉回収ベルト２００を装着して回転させたとき緩み弛みが故障の原因となるのでエンドレス加工を施すパチンコ玉回収ベルト２００の寸法は当然ながら正確であること、交換・装着・回転駆動の動作に耐えることも当然ながら要求される。パチンコ玉２０１の寸法は直径が１１Ｃｍで、目方が約５．４〜５，７ｇ以下の鋼製である。
当該パチンコ玉回収ベルト２００は、エンドレス加工をベルトに施して設けてある。パチンコ玉回収ベルト２００の横幅に等しい正方形の磁石板２０２を一定の間隔で開けてベルトに整列させ固着して設けてある。その磁石板２０２の磁力で鋼製のパチンコ玉を吸着できるように設けてある。ハンデイ型コンベーアー式万能回収機の本体部１１０の先端に緩衝具１６０を緩衝具装着部１１４に装着して設けてある。
床に転がっているパチンコ玉２０１をハンデイ型コンベーアー式万能回収機の本体部１１０の先端に流れてきた磁力板２０２で吸着して搬送して手元に届ける。手元に届いたパチンコ玉２０１は、裏面に磁石板２０２が回転する箇所に設けた回収箱２１０でパチンコ玉２０１を引っ掛けて落下させ回収する。砂鉄等金属片が混入しているのでブラシ２１１で磁力板２０２を磨くように設けて、遊戯用パチンコ玉２０１を床面から回収するパチンコ玉回収ベルト３００を設けて交換して装着できる構成のハンデイ型コンベーアー式万能回収機である。【００２８】  図２は、図１の先端部の側面図を示した図である。
パチンコ玉回収ベルト２００を装着して、本体部１１０の先端を保護するため専用ベルトを挟むように保護するＹ型１６１の緩衝具１６０を装着できる緩衝具装着部１１４を設けている構成のハンデイ型コンベーアー式万能回収機である。本体部１１０に専用ベルトを装着して回転させたとき、本体部１１０の全体が共振しないように防振ゴム１１３を設けてある。２０１はパチンコ玉である。２０２は正方形の中心が凹型の磁石板２０２である。磁石板２０２と磁石板２０２との隙間は設けてある。ハンデイ型コンベーアー式万能回収機１００の本体部１１０の先端に装着した専用ベルトがスムースに回転できる回転部１１２と、装着した専用ベルトを回転させる駆動部１３０を手元側に設けてある。【００２９】  図３は、図１の使用状況の側面図を示した図である。
ハンデイ型コンベーアー式万能回収機の本体部１１０にエンドレス加工を施したパチンコ玉回収ベルト２００を装着して使用している側面図を示している。
小型で軽いので狭い場所に落としたパチンコ玉２０１を、客に不自由な思いをさせることなく、姿勢を変えることなく回収作業が行なえる。【００３０】  図５は、本考案のハンデイ型コンベーアー式万能回収機に専用ベルトであるコイン回収ベルトを装着して作動している側面図を示した図である。
本考案のハンデイ型コンベーアー式万能回収機は、前記記載の通りである。
次に、ハンデイ型コンベーアー式万能回収機に交換して装着して遊戯用コインを床面から回収するコイン回収ベルト３００を説明する。
ハンデイ型コンベーアー式万能回収機の本体部１１０にエンドレス加工を施したコイン回収ベルト３００を装着して回転させたとき緩み弛みが故障の原因となるのでエンドレス加工を施すコイン回収ベルト３００の寸法は当然ながら正確であること、交換・装着・回転駆動の動作に耐えることも当然ながら要求される。
当該コイン回収ベルト３００は、ハンデイ型コンベーアー式万能回収機の本体部１１０の全体をエンドレスに加工したコイン回収ベルト３００で囲んで装着して設けてある。
ハンデイ型コンベーアー式万能回収機の本体部１１０の先端にコイン止３０５を緩衝具１６０として緩衝具装着部１１４に装着して設けてある。
コインを回収するに適した台形をして、コインの厚みを考慮したコインバスケット３０１をプラスチックで成形加工して設けてある。コインバスケット３０１は、アルミニュウムよりプラスチックが材質として最適である。コインバスケット３０１はコイン回収ベルト３００の全体を一定の間隔でベルトに整列させ固着して設けてある。コインを回収して搬送するとき目的地以外に落下しないように回収口の方向を誤らないように固着して設けてある。床に転がっている遊戯用コインを回収するにハンデイ型コンベーアー式万能回収機の本体部１１０の先端に設けたコイン止３０５を、遊戯用コインが滑らないように周囲を包囲して止める。回収しようとする遊戯用コインはコイン止３０５で止められている。
止められている遊戯用コインは、流れてきたコインバスケット３０１で遊戯用コインは回収され搬送され手元に届けられる。手元に届いた遊戯用コインは、コインバスケット３０１が回転して裏面になると遊戯用コインが重力で落下するので設けたコイン回収箱３１０で回収する。遊戯用コインを床面から回収するコイン玉回収ベルト３００を設けて交換して装着できる構成のハンデイ型コンベーアー式万能回収機である【００３１】  図６は、図５の先端部の側面図を示した図である。
ハンデイ型コンベーアー式万能回収機の本体部１１０の先端にコイン止３０５を緩衝具１６０として緩衝具装着部１１４に装着して設けてある。
コインを回収するに適した台形をして、コインの厚みを考慮したコインバスケット３０１をプラスチックで成形加工して設けてある。
床に転がっている遊戯用コインを回収するにハンデイ型コンベーアー式万能回収機の本体部１１０の先端に設けたコイン止３０５で遊戯用コインを囲む。回収しようとする遊戯用コインはコイン止３０５に止められている。止められている遊戯用コインは、流れてきたコインバスケット３０１で遊戯用コインは回収され搬送され手元に届けられる。
矢印は、遊戯用コインを床面から回収するコイン回収ベルト３００の進行方向を示しています。
回収の方法は、回収しようとする遊戯用コインをコイン止３０５で囲む。コイン回収ベルト３００のコインバスケット３０１は矢印の方向へ移動しています。コイン止３０５で囲まれている遊戯用コインはコインバスケット３０１の中へ入り回収されます。
コイン止３０５で遊戯用コインを止めてあるのでコインバスケット３０１が進行方向に進むことで遊戯用コインを掬うことが出来る。【００３２】  図７の、（Ａ）は、図５のバスケットの斜視図を示した図である。
コインを回収するに適した台形をして、コインの厚みを考慮したコインバスケット３０１をプラスチックで成形加工して設けてある。コインバスケット３０１は、アルミニュウムよりプラスチックが材質として最適である。
（Ｂ）は、図５のバスケットの平面図を示した図である。
コインバスケット３０１はコイン回収ベルト３００の全体を一定の間隔でベルトに整列させ固着して設けてある。
（Ｃ）は、図５のバスケットの作動する仕掛けを底面図で示した図である。
コイン止３０５で遊戯用コインを止めてあるのでコインバスケット３０１が進行方向に進むことで遊戯用コインを掬うことが出来ることを裏から模試している。矢印はコイン回収ベルト３００の進行方向を示している。回収の方法は、回収しようとする遊戯用コインをコイン止３０５で止め囲まれている。コイン回収ベルト３００のコインバスケット３０１は矢印の方向へ移動するので、コイン止３０５で止め囲まれている遊戯用コインはコインバスケット３０１の中へ点線の遊戯用コインの状態のように入り回収される。【００３３】  図９は、本考案のハンデイ型コンベーアー式万能回収機に専用ベルトである小型果実収穫ベルトを装着して作動している側面図を示した図である。
前記記載の通り先に本考案のハンデイ型コンベーアー式万能回収機の説明は終了しているので、次に、小型果実を収穫する交換して装着する小型果実収穫ベルト４００の説明を行なう。
ハンデイ型コンベーアー式万能回収機の本体部１１０にエンドレス加工を施した小型果実収穫ベルト４００を装着して回転させたとき緩み弛みが故障の原因となるのでエンドレス加工を施す小型果実収穫ベルト４００の寸法は当然ながら正確であること、交換・装着・回転駆動の動作に耐えることも当然ながら要求される。
当該小型果実収穫ベルト４００は、エンドレス加工をベルトに施して設けてある。
小型果実収穫ベルト４００は、小型果実を収穫するに適したカッター４０２と小型果実を入れる容器とを複合させて小型果実容器４０１を形成してある。
小型果実容器４０１は一定の間隔でベルトに整列させ固着して設けてある。
小型果実を収穫して搬送するとき目的地以外に落下しないように収穫口の方向を誤らないように固着して設けてある。
高い木に小型果実が生っているのを収穫するにハンデイ型コンベーアー式万能回収機の本体部１１０の先端で収穫するに上方に向いて流れてきた小型果実容器４０１のカッター４０２で枝から切り離し収穫して小型果実容器４０１で搬送してハンデイ型コンベーアー式万能回収機の手元に届ける。手元に届いた小型果実は、裏面に小型果実容器４０１が回転する箇所に設けた小型果実回収箱４１０で小型果実が重力で落下するのを回収する。
高い木に小型果実が生っているのを収穫する小型果実収穫ベルト４００を設けて交換して装着できる構成のハンデイ型コンベーアー式万能回収機である。【００３４】  図１０の（Ａ）は、図９のカゴのカッターの平面図を示した図である。
小型果実を収穫するに適したカッター４０２と小型果実を入れる容器とを複合させて形成した小型果実容器４０１を平面図で示してある。
小型果実の茎を切断しやすくするにＹ型にしたカッター４０２を設けている。小型果実の茎にＹ型のカッター４０２を挟む。小型果実収穫ベルト４００が矢印の方向へ進行しているので小型果実の茎はＹ型のカッター４０２で切断され落下して小型果実容器４０１に収穫される。
（Ｂ）は、図９のカゴの側面図を示した図である。
小型果実の茎を切断しやすくするにＹ型にしたカッター４０２と、切断され落下して収穫する小型果実容器４０１の構成を側面図に示している。【００３５】  図１３は、本考案のハンデイ型コンベーアー式万能回収機に専用ベルトである清掃磨き用ブラシベルトを装着して作動している側面図を示した図である。
前記記載の通り先に本考案のハンデイ型コンベーアー式万能回収機の説明は終了しているので、次に、狭い場所をブラシで磨き清掃する交換して装着する清掃磨き用ブラシベルト５００の説明を行なう。
ハンデイ型コンベーアー式万能回収機の本体部１１０にエンドレス加工を施した清掃磨き用ブラシベルト５００を装着して回転させたとき緩み弛みが故障の原因となるのでエンドレス加工を施す清掃磨き用ブラシベルト５００の寸法は当然ながら正確であること、交換・装着・回転駆動の動作に耐えることも当然ながら要求される。
当該清掃磨き用ブラシベルト５００は、エンドレス加工をベルトに施して設けてある。
清掃磨き用ブラシベルト５００は、狭い場所をブラシで磨き清掃するに適したブラシの形成をしてある。
清掃磨き用ブラシベルト５００は、ベルト全体をブラシで覆って固着して設けてあるので、狭い箇所のゴミを引っかいて出して、ブラシで磨くことができる清掃磨き用ブラシベルト５００を設けて交換して装着できる構成のハンデイ型コンベーアー式万能回収機である。
【産業上の利用可能性】
【００３６】  ハンデイ型コンベーアー式万能回収機は、作業別にエンドレス加工を施した専用ベルトが設けられ作業の目的に応じて専用ベルトが交換され装着されている。
専用ベルトの交換は自在であり、交換装着できる専用ベルトは、遊戯用パチンコ玉を床面から回収するパチンコ玉回収ベルトと、遊戯用コインを床面から回収するコイン回収ベルトと、小型果実を収穫する小型果実収穫ベルトと、狭い場所をブラシで磨き清掃する清掃磨き用ブラシベルトであるので、製造販売する業界と、それを利用する遊戯場や、果実栽培や、清掃業の各所で利用される。
【符号の説明】
【００３７】１００  ハンデイ型コンベーアー式万能回収機
１１０  本体部
１１２  回転部
１１３  防振ゴム
１１４  緩衝具装着部
１２０  電源部
１２１  スイッチ
１３０  駆動部
１３１  モーター部
１５０  グリップ部
１５１  補助グリップ部
１６０  緩衝具
１６１  Ｙ型
１６２  扇型
１６３  円形
２００  パチンコ玉回収ベルト
２０１  パチンコ玉
２０２  磁石板
２１１  ブラシ
３００  コイン回収ベルト
３０１  コインバスケット
３０５  コイン止
３１０  コイン回収箱
４００  小型果実収穫ベルト
４０１  小型果実容器
４０２  カッター
４１０  小型果実回収箱
５００  清掃磨き用ブラシベルト
【図１】
0003163979.tif 000003
【図２】
0003163979.tif 000004
【図３】
0003163979.tif 000005
【図４】
0003163979.tif 000006
【図５】
0003163979.tif 000007
【図６】
0003163979.tif 000008
【図７】
0003163979.tif 000009
【図８】
0003163979.tif 000010
【図９】
0003163979.tif 000011
【図１０】
0003163979.tif 000012
【図１１】
0003163979.tif 000013
【図１２】
0003163979.tif 000014
【図１３】
0003163979.tif 000015
【図１４】
0003163979.tif 000016